(57)【要約】通信部（１２０）が、あらかじめ決められた第１の識別情報を送信し、設定部（１５０）が、通信部（１２０）と制御部（１３０）とに対して、無線ＬＡＮと接続された他の無線ＬＡＮ装置と接続するための自動設定処理を行う設定モードとすることが可能であり、通信部（１２０）が、送信した第１の識別情報に対応する第２の識別情報を受信した場合には、設定モードとする設定部とを有する。
2011039836.tif 000002
【特許請求の範囲】
【請求項１】
無線ＬＡＮと接続可能に構成された無線ＬＡＮ装置であって、
外部から入力を受け付ける入力部と、
あらかじめ決められた第１の識別情報を送信する通信部と、
前記無線ＬＡＮとの通信を制御する制御部と、
前記通信部と前記制御部とに対して、前記無線ＬＡＮと接続された他の無線ＬＡＮ装置と接続するための自動設定処理を行う設定モードとすることが可能であり、前記通信部が、送信した第１の識別情報に対応する第２の識別情報を受信した場合には、前記設定モードとする設定部とを有する無線ＬＡＮ装置。
【請求項２】
請求項１に記載の無線ＬＡＮ装置において、
前記通信部は、前記第１の識別情報として、前記設定モードとすることを要求するための要求用ＳＳＩＤを送信することを特徴とする無線ＬＡＮ装置。
【請求項３】
請求項１に記載の無線ＬＡＮ装置において、
前記第２の識別情報を受信した際、その旨を表示する表示部を有し、
前記設定部は、前記表示部が表示した表示に対して前記入力部が所定の入力を受け付けた場合、前記設定モードとすることを特徴とする無線ＬＡＮ装置。
【請求項４】
請求項１に記載の無線ＬＡＮ装置において、
前記通信部は、前記自動設定処理を行った後、外部から前記第２の識別情報を送信してきた従無線ＬＡＮ装置との接続を指示する入力を前記入力部が受け付けた場合、前記従無線ＬＡＮ装置と接続することを特徴とする無線ＬＡＮ装置。
【請求項５】
請求項４に記載の無線ＬＡＮ装置において、
前記設定部は、前記自動設定処理を行ってから、あらかじめ決められた時間が経過するまでに、外部から前記従無線ＬＡＮ装置との接続を指示する入力を前記入力部が受け付けなかった場合、前記自動設定処理により設定したパラメータを設定前のものに戻すことを特徴とする無線ＬＡＮ装置。
【請求項６】
無線ＬＡＮと接続可能に構成された無線ＬＡＮ装置であって、
外部から入力を受け付ける入力部と、
あらかじめ決められた第１の識別情報を受信した場合、該第１の識別情報に対応する第２の識別情報を送信する通信部と、
前記無線ＬＡＮとの通信を制御する制御部と、
前記通信部と前記制御部とに対して、前記無線ＬＡＮと接続された他の無線ＬＡＮ装置と接続するための自動設定処理を行う設定モードとすることが可能であり、前記第１の識別情報を受信した場合には、前記設定モードとする設定部とを有する無線ＬＡＮ装置。
【請求項７】
請求項６に記載の無線ＬＡＮ装置において、
前記通信部は、前記第２の識別情報として、前記第１の識別情報に応答するための応答用ＳＳＩＤ（Ｓｅｒｖｉｃｅ  Ｓｅｔ  Ｉｄｅｎｔｉｆｉｅｒ）を送信することを特徴とする無線ＬＡＮ装置。
【請求項８】
請求項６に記載の無線ＬＡＮ装置において、
前記第１の識別情報を受信した旨を表示する表示部を有し、
前記設定部は、前記表示部が表示した表示に対して前記入力部が所定の入力を受け付けた場合、前記設定モードとすることを特徴とする無線ＬＡＮ装置。
【請求項９】
請求項６に記載の無線ＬＡＮ装置において、
前記設定部は、前記自動設定処理を行ってから、あらかじめ決められた時間が経過するまでに、前記第１の識別情報を送信してきた主無線ＬＡＮ装置から接続されなかった場合、前記自動設定処理により設定したパラメータを設定前のものに戻すことを特徴とする無線ＬＡＮ装置。
【請求項１０】
無線ＬＡＮと接続可能に構成された無線ＬＡＮ装置における無線通信方法であって、
あらかじめ決められた第１の識別情報を送信する処理と、
前記送信した第１の識別情報に対応する第２の識別情報を受信した場合、当該無線ＬＡＮ装置に対して、前記無線ＬＡＮと接続された他の無線ＬＡＮ装置と接続するための自動設定処理を行う設定モードとする処理とを有する無線通信方法。
【請求項１１】
無線ＬＡＮと接続可能に構成された無線ＬＡＮ装置における無線通信方法であって、
あらかじめ決められた第１の識別情報を受信した場合、該第１の識別情報に対応する第２の識別情報を送信する処理と、
前記第１の識別情報を受信した場合、当該無線ＬＡＮ装置に対して、前記無線ＬＡＮと接続された他の無線ＬＡＮ装置と接続するための自動設定処理を行う設定モードとする処理とを有する無線通信方法。
【発明の詳細な説明】
【技術分野】
【０００１】
本発明は、無線通信を行う無線ＬＡＮ装置および無線通信方法に関し、特に無線ＬＡＮ（Ｌｏｃａｌ  Ａｒｅａ  Ｎｅｔｗｏｒｋ）を介して無線通信を行う無線ＬＡＮ装置および無線通信方法に関する。
【背景技術】
【０００２】
近年、通信ネットワークを介して接続された複数の通信装置にて、従来操作する者によって所定の情報を入力するといった手動で行われていた互いの間の通信に必要な設定が、一方の通信装置からの要求によって自動的に行われる技術が考えられている（例えば、特許文献１参照。）。【０００３】
このような技術は、無線ＬＡＮ（Ｌｏｃａｌ  Ａｒｅａ  Ｎｅｔｗｏｒｋ）を介して通信を行う装置（以下、無線ＬＡＮ装置と称する）にも適用されている。【０００４】
無線ＬＡＮ装置では、通信を行うために必要な無線ＬＡＮのネットワーク設定（通信チャンネル、ＳＳＩＤ（Ｓｅｒｖｉｃｅ  Ｓｅｔ  Ｉｄｅｎｔｉｆｉｅｒ）、暗号化方式、暗号キー、ＩＰ（Ｉｎｔｅｒｎｅｔ  Ｐｒｏｔｏｃｏｌ）アドレス、サブネットマスクなどの各パラメータの設定）を自動化するための機能（以下、自動設定機能と称する）を持つものが存在する。【０００５】
このような自動設定機能を有する無線ＬＡＮ装置には、従来の手動による設定が行われる機能を持ったものも存在する。この理由としては、例えば、ネットワーク構成の変更が発生し、変更後のネットワーク構成において、自動設定の内容で設定されてしまうと通信に不具合が生じてしまう場合や、自動設定よりもさらに通信効率が良くなる設定をする必要がある場合、周囲の環境に従って自動設定以外の設定が必要な場合に、無線ＬＡＮの管理者等の操作者による手動での設定を可能とするためという理由が挙げられる。【０００６】
このような２つの機能を有する無線ＬＡＮ装置にて、当該２つの機能のうちから一方の機能を選択するには、スイッチ設定や入力設定等の操作をすることによって選択する。
【先行技術文献】
【特許文献】
【０００７】
【特許文献１】特開２００１−２５６１５４号公報
【発明の概要】
【発明が解決しようとする課題】
【０００８】
上述したような無線ＬＡＮ装置では、通信を行う２つの無線ＬＡＮ装置のうち一方の無線ＬＡＮ装置にて「自動設定機能」が選択されていても、他方の無線ＬＡＮ装置にて「自動設定機能」が選択されていない場合、つまり手動で設定する機能が選択されている場合は、この２つの無線ＬＡＮ装置は互いに通信を行うことはできない。【０００９】
ここで、２つの無線ＬＡＮ装置が互いに通信を行うには、双方にて「自動設定機能」を選択しておく必要がある。例えば、無線ＬＡＮ機能を内蔵しているプロジェクターに、ＰＣ（Ｐｅｒｓｏｎａｌ  Ｃｏｍｐｕｔｅｒ）等の制御端末から「無線ＬＡＮ自動設定モード」で接続する場合、プロジェクターにて「自動設定機能」をあらかじめ選択しておかなければ、無線ＬＡＮ自動設定機能は働かない。【００１０】
そのため、一方の無線ＬＡＮ装置にて「自動設定機能」が選択されていない場合には、その都度、当該無線ＬＡＮ装置にてスイッチ設定や入力設定等の操作で「自動設定機能」を選択しなければならなく、その手間がかかってしまうという問題点がある。【００１１】
また、無線ＬＡＮ装置にて「自動設定機能」が選択されているか否かを常に把握しておかなければならないという問題点がある。【００１２】
本発明の目的は、上述した課題を解決する無線ＬＡＮ装置および無線通信方法を提供することである。
【課題を解決するための手段】
【００１３】
本発明の無線ＬＡＮ装置は、
無線ＬＡＮと接続可能に構成された無線ＬＡＮ装置であって、
外部から入力を受け付ける入力部と、
あらかじめ決められた第１の識別情報を送信する通信部と、
前記無線ＬＡＮとの通信を制御する制御部と、
前記通信部と前記制御部とに対して、前記無線ＬＡＮと接続された他の無線ＬＡＮ装置と接続するための自動設定処理を行う設定モードとすることが可能であり、前記通信部が、送信した第１の識別情報に対応する第２の識別情報を受信した場合には、前記設定モードとする設定部とを有する。【００１４】
また、本発明の無線ＬＡＮ装置は、
無線ＬＡＮと接続可能に構成された無線ＬＡＮ装置であって、
外部から入力を受け付ける入力部と、
あらかじめ決められた第１の識別情報を受信した場合、該第１の識別情報に対応する第２の識別情報を送信する通信部と、
前記無線ＬＡＮとの通信を制御する制御部と、
前記通信部と前記制御部とに対して、前記無線ＬＡＮと接続された他の無線ＬＡＮ装置と接続するための自動設定処理を行う設定モードとすることが可能であり、前記第１の識別情報を受信した場合には、前記設定モードとする設定部とを有する。【００１５】
また、本発明の無線通信方法は、
無線ＬＡＮと接続可能に構成された無線ＬＡＮ装置における無線通信方法であって、
あらかじめ決められた第１の識別情報を送信する処理と、
前記送信した第１の識別情報に対応する第２の識別情報を受信した場合、当該無線ＬＡＮ装置に対して、前記無線ＬＡＮと接続された他の無線ＬＡＮ装置と接続するための自動設定処理を行う設定モードとする処理とを有する。【００１６】
また、本発明の無線通信方法は、
無線ＬＡＮと接続可能に構成された無線ＬＡＮ装置における無線通信方法であって、
あらかじめ決められた第１の識別情報を受信した場合、該第１の識別情報に対応する第２の識別情報を送信する処理と、
前記第１の識別情報を受信した場合、当該無線ＬＡＮ装置に対して、前記無線ＬＡＮと接続された他の無線ＬＡＮ装置と接続するための自動設定処理を行う設定モードとする処理とを有する。
【発明の効果】
【００１７】
以上説明したように本発明においては、通信に必要なパラメータを容易に設定することができる。
【図面の簡単な説明】
【００１８】
【図１】本発明の無線ＬＡＮ装置を用いた無線通信システムの実施の一形態を示す図である。
【図２】図１に示した第１の無線ＬＡＮ装置の内部構成の一例を示す図である。
【図３】図１に示した第２の無線ＬＡＮ装置の内部構成の一例を示す図である。
【図４】図１に示した無線ＬＡＮ装置間でやり取りされるＳＳＩＤを示す図である。
【図５】本形態における無線通信方法のうち、図１に示した第１の無線ＬＡＮ装置の処理を説明するためのフローチャートである。
【図６】ステップ６にて表示部に表示された無線ＬＡＮ装置のサーチ結果の表示画面の一例を示す図である。
【図７】本形態における無線通信方法のうち、図１に示した第２の無線ＬＡＮ装置の処理を説明するためのフローチャートである。
【図８】本発明の無線通信システムの他の実施の形態を示す図である。
【発明を実施するための形態】
【００１９】
以下に、本発明の実施の形態について図面を参照して説明する。
【００２０】
図１は、本発明の無線ＬＡＮ装置を用いた無線通信システムの実施の一形態を示す図である。
【００２１】
本形態は図１に示すように、無線ＬＡＮ装置１００と、無線ＬＡＮ装置２００とから構成されている。なお、無線ＬＡＮ装置１００の数および無線ＬＡＮ装置２００の数は、それぞれ複数であっても良い。
【００２２】
無線ＬＡＮ装置１００は、無線ＬＡＮと接続する機能を有する第１の無線ＬＡＮ装置（主無線ＬＡＮ装置）である。また、無線ＬＡＮと接続するためのパラメータとして、外部から入力を受け付けたパラメータを無線ＬＡＮ装置１００に設定する第１の設定モード（第１の設定処理）と、所定の自動設定処理を起動させ、自動設定処理の算出結果であるパラメータを無線ＬＡＮ装置１００に設定する第２の設定モード（第２の設定処理）とを具備する。また、無線ＬＡＮ装置１００は、無線ＬＡＮ装置１００から送信した第１の識別情報に応じた第２の識別情報が無線ＬＡＮ装置２００から送信されてきた場合、第２の設定モードを選択する。また、無線ＬＡＮ装置１００は、外部からの指示により、上述した２つの機能のうち一方の設定モードを選択する。
【００２３】
無線ＬＡＮ装置２００は、無線ＬＡＮと接続する機能を有する第２の無線ＬＡＮ装置（従無線ＬＡＮ装置）である。また、無線ＬＡＮと接続するためのパラメータとして、外部から入力を受け付けたパラメータを無線ＬＡＮ装置２００に設定する第１の設定モード（第１の設定処理）と、所定の自動設定処理を起動させることにより得られたパラメータを無線ＬＡＮ装置２００に設定する第２の設定モード（第２の設定処理）とを具備する。また、無線ＬＡＮ装置２００は、無線ＬＡＮ装置１００から送信された第１の識別情報を受信した場合、第２の設定モードを選択する。また、無線ＬＡＮ装置２００は、外部からの指示により、上述した２つの機能のうち一方の設定モードを選択する。
【００２４】
ここで、自動設定処理とは、無線ＬＡＮと接続するためのパラメータである、通信チャンネル、ＳＳＩＤ、暗号化方式、暗号キー、ＩＰアドレス、サブネットマスク等を汎用のソフトウェアプログラム等を用いて自動的に設定する一般的に用いられている処理である。例えば、ＩＰアドレスに関しては、未使用のＩＰアドレスを検索し、検索できたＩＰアドレスを無線ＬＡＮ装置に設定するという処理である。自動設定処理について一般的に用いられている処理を例に挙げると、無線ＬＡＮ接続機能を有するＰＣと、無線ＬＡＮアクセスポイントとを接続する場合、当該ＰＣにインストールされた専用のソフトウェアプログラムを実行することにより、当該ソフトウェアの処理に従ってこれらのパラメータをＰＣと無線ＬＡＮアクセスポイントとに自動的に設定し、ＰＣと無線ＬＡＮアクセスポイントとを無線ＬＡＮ接続させる処理である。ＰＣと無線ＬＡＮアクセスポイントとの接続に限らず、ＰＣとＰＣとの接続や、ＰＣとプロジェクターとの接続等で利用されているものである。なお、処理の詳細については、無線ＬＡＮと接続するためのこれらのパラメータが設定できるものであれば良く、その具体的な方法については、ここでは規定しない。
【００２５】
図２は、図１に示した無線ＬＡＮ装置１００の内部構成の一例を示す図である。
【００２６】
図１に示した無線ＬＡＮ装置１００には図２に示すように、入力部１１０と、通信部１２０と、設定部１３０と、表示部１４０と、これらを含めた無線ＬＡＮ装置１００を制御する制御部１５０とが設けられている。なお、図２には、図１に示した無線ＬＡＮ装置１００の構成要素のうち、本発明に係わる要素のみを示した。
【００２７】
入力部１１０は、外部から情報の入力を受け付ける。入力部１１０は、例えば、キーボードやマウス等の、無線ＬＡＮ装置１００を操作する操作者が情報を入力できるものであれば良い。
【００２８】
通信部１２０は、無線ＬＡＮ装置２００等の他の無線ＬＡＮ装置と通信を行う。
【００２９】
また、通信部１２０は、あらかじめ決められた第１の識別情報を送信する。この第１の識別情報は、無線ＬＡＮ装置２００へ第２の設定モードの選択を要求するための要求用ＳＳＩＤ（Ｓｅｒｖｉｃｅ  Ｓｅｔ  Ｉｄｅｎｔｉｆｉｅｒ）である。このＳＳＩＤは、一般的に無線ＬＡＮ装置１００から定期的に送信されるビーコンに含まれているもので良い。
【００３０】
また、通信部１２０は、設定部１３０が無線ＬＡＮと接続するためのパラメータを通信部１２０および制御部１５０に設定した後、無線ＬＡＮ装置２００との接続を指示する入力を入力部１１０が受け付けた場合、無線ＬＡＮ装置２００と接続するものであっても良い。
【００３１】
設定部１３０は、通信部１２０が送信した第１の識別情報に応じてあらかじめ決められた第２の識別情報を通信部１２０が受信した場合、上述した設定モードのうち第２の設定モードを選択する。また、設定部１３０は、外部から第２の設定モードを選択する旨の入力を受け付けた場合、第２の設定モードを選択する。第２の設定モードを選択した設定部１３０は、自動設定処理を起動させ、その自動設定処理によって得られたパラメータを通信部１２０および制御部１５０に設定する。この第２の識別情報は、第１の識別情報に応答するための応答用ＳＳＩＤである。また、それ以外の場合は、設定部１３０は、第１の設定モードを選択し、外部からパラメータを入力部１１０が受け付けたとき、受け付けたパラメータを通信部１２０および制御部１５０に設定する。
【００３２】
また、設定部１３０は、通信部１２０が第２の識別情報を受信した旨を表示部１４０が表示した表示に対して、入力部１１０が所定の入力を受け付けた場合、第２の設定モードを選択するものであっても良い。
【００３３】
また、設定部１３０は、設定部１３０が自動設定処理によって得られたパラメータを通信部１２０および制御部１５０に設定してから時間を計測し、あらかじめ決められた時間が経過するまでに、無線ＬＡＮ装置２００との接続を指示する入力を入力部１１０が受け付けなかった場合、パラメータを設定前のもの（デフォルト値）に戻すものであっても良い。
【００３４】
表示部１４０は、通信部１２０が第２の識別情報を受信した際、その旨を表示する。
【００３５】
制御部１５０は、コンピュータプログラム制御により動作するものであっても良い。また、制御部１５０は、無線ＬＡＮ装置２００との間で送受信されるデータの暗号化および復号化を行う。また、制御部１５０は、設定部１３０を含むものであっても良い。
【００３６】
また、図２には示していないが、無線ＬＡＮ装置１００にコンピュータプログラムやデータを記憶するメモリが設けられていても良い。
【００３７】
図３は、図１に示した無線ＬＡＮ装置２００の内部構成の一例を示す図である。
【００３８】
図１に示した無線ＬＡＮ装置２００には図３に示すように、入力部２１０と、通信部２２０と、設定部２３０と、表示部２４０と、これらを含めた無線ＬＡＮ装置２００を制御する制御部２５０とが設けられている。なお、図３には、図１に示した無線ＬＡＮ装置２００の構成要素のうち、本発明に係わる要素のみを示した。
【００３９】
入力部２１０は、外部から情報の入力を受け付ける。入力部２１０は、例えば、キーボードやマウス等の、無線ＬＡＮ装置２００を操作する操作者が情報を入力できるものであれば良い。
【００４０】
通信部２２０は、無線ＬＡＮ装置１００等の他の無線ＬＡＮ装置と通信を行う。
【００４１】
また、通信部２２０は、無線ＬＡＮ装置１００から送信されてきた第１の識別情報を受信する。
【００４２】
また、通信部２２０は、第１の識別情報を受信した場合、第１の識別情報に応答するための第１の識別情報に対応する第２の識別情報を送信する。このとき、通信部２２０は、第２の識別情報として応答用ＳＳＩＤを送信する。
【００４３】
設定部２３０は、通信部２２０が第１の識別情報を受信した場合、上述した設定モードのうち第２の設定モードを選択する。また、設定部２３０は、外部から第２の設定モードを選択する旨の入力を受け付けた場合、第２の設定モードを選択する。第２の設定モードを選択した設定部２３０は、自動設定処理を起動させ、その自動設定処理によって得られたパラメータを通信部２２０および制御部２５０に設定する。また、それ以外の場合は、設定部２３０は、第１の設定モードを選択し、外部からパラメータを入力部２１０が受け付けたとき、受け付けたパラメータを通信部２２０および制御部２５０に設定する。
【００４４】
また、設定部２３０は、第１の識別情報を受信した旨を表示部２４０に表示させ、その表示に対して所定の入力を受け付けた場合、第２の設定モードを選択するものであっても良い。
【００４５】
また、設定部２３０は、自動設定処理によって得られたパラメータを通信部２２０および制御部２５０に設定してから時間を計測し、あらかじめ決められた時間が経過するまでに、無線ＬＡＮ装置１００から接続されなかった場合、パラメータの設定前のもの（デフォルト値）に戻すものであっても良い。
【００４６】
表示部２４０は、通信部２２０が第１の識別情報を受信した際、その旨を表示する。
【００４７】
制御部２５０は、コンピュータプログラム制御により動作するものであっても良い。また、制御部２５０は、無線ＬＡＮ装置１００との間で送受信されるデータの暗号化および復号化を行う。また、制御部２５０は、設定部２３０を含むものであっても良い。
【００４８】
また、図３には示していないが、無線ＬＡＮ装置２００にコンピュータプログラムやデータを記憶するメモリが設けられていても良い。
【００４９】
図４は、図１に示した無線ＬＡＮ装置１００と無線ＬＡＮ装置２００との間でやり取りされるＳＳＩＤを示す図である。
【００５０】
図４に示した「要求用ＳＳＩＤ」は、パラメータを自動的に設定する無線ＬＡＮ自動設定を始めることを、周囲の無線ＬＡＮ装置へ要求するために一時的に使用するＳＳＩＤである。図４では、要求用ＳＳＩＤは、「ＲＥＱ＿００００」である場合を例に挙げているが、無線ＬＡＮ自動設定を要求するものであることが識別できる情報であればかまわない。
【００５１】
また、図４に示した「応答用ＳＳＩＤ」は、要求用ＳＳＩＤを見つけた（受信した）無線ＬＡＮ装置が、無線ＬＡＮ自動設定可能であることを周囲に知らせるために一時的に使用するＳＳＩＤである。図４では、応答用ＳＳＩＤは、「ＲＥＳ＿１１１１」である場合を例に挙げているが、無線ＬＡＮ自動設定の要求に対して応答するものであることが識別できる情報であればかまわない。
【００５２】
また、図４に示した「接続用ＳＳＩＤ」は、実際に無線ＬＡＮ装置同士が接続する際に使用するＳＳＩＤである。図４では、接続用ＳＳＩＤは、「ＣＯＮ＿２２２２」である場合を例に挙げているが、無線ＬＡＮ機器同士が接続する際に使用できる情報であればかまわない。
【００５３】
以下に、本形態における無線通信方法について説明する。まずは、本形態における無線通信方法のうち、図１に示した無線ＬＡＮ装置１００の処理について説明する。
【００５４】
図５は、本形態における無線通信方法のうち、図１に示した無線ＬＡＮ装置１００の処理を説明するためのフローチャートである。
【００５５】
まず、無線ＬＡＮ装置１００を操作する操作者によって、入力部１１０と表示部１４０とを用いて、無線ＬＡＮ装置１００と無線ＬＡＮ装置２００とを通信させるソフトウェアの起動が指示されると、メモリに記憶されているソフトウェアプログラムが制御部１５０によって読み出され実行される。
【００５６】
すると、ステップ１にて、設定部１３０によって通信部１２０のＳＳＩＤが要求用ＳＳＩＤに設定され、設定された要求用ＳＳＩＤが通信部１２０から送信される。
【００５７】
その後、送信した要求用ＳＳＩＤに応答する応答用ＳＳＩＤが通信部１２０にて受信されたかどうかがステップ２にて判断される。ここでは、応答用ＳＳＩＤが通信部１２０にて受信されたかどうかが、あらかじめ決められた時間内で判断される。このあらかじめ決められた時間は、無線ＬＡＮネットワークを検出するために必要な時間として、事前に算出されているものである。
【００５８】
応答用ＳＳＩＤが通信部１２０にて受信された場合、要求用ＳＳＩＤが長時間存在すると周囲に存在する無線ＬＡＮ装置が常に応答用ＳＳＩＤに移動してしまうため、ステップ３にて、設定部１３０によって通信部１２０のＳＳＩＤが接続用ＳＳＩＤに設定される。
【００５９】
続いて、ステップ４にて、設定部１３０によって、パラメータの設定モードとして第２の設定モードが選択され、自動設定処理が実行（起動）される。この自動設定処理によって得られたパラメータが設定部１３０によって通信部１２０および制御部１５０に設定される。なお、接続用ＳＳＩＤへの設定が、ステップ４における自動設定処理に含まれているものであっても良い。
【００６０】
すると、ステップ５にて制御部１５０によって通信部１２０を用いて周囲に存在する無線ＬＡＮ装置のサーチ（検索）が行われる。このサーチは、特定のＳＳＩＤが周囲に存在するかどうかを検索する一般的に行われている方法を用いても良い。
【００６１】
その後、制御部１５０によって行われたサーチ結果がステップ６にて表示部１４０に表示される。
【００６２】
図６は、ステップ６にて表示部１４０に表示された無線ＬＡＮ装置のサーチ結果の表示画面の一例を示す図である。
【００６３】
図６に示すように、表示部１４０にユーザインタフェースとして無線ＬＡＮ装置のサーチ結果を示す表示画面（ウィンドウ）が表示される。ステップ６にて行われたサーチの結果、見つかった無線ＬＡＮ装置の一覧が無線ＬＡＮ装置リストとして表示される。
【００６４】
この表示に対して操作者によって入力部１１０に行われた入力に応じて、接続する無線ＬＡＮ装置の指定が行われたかどうかが、ステップ７にて判断される。
【００６５】
無線ＬＡＮ装置１００を操作する操作者によって、無線ＬＡＮ装置リストの中から所望の無線ＬＡＮ装置が選択され、接続ボタン５００が選択された場合、それらの入力により、接続する無線ＬＡＮ装置の指定が行われたと判断され、選択された無線ＬＡＮ装置との接続がステップ８にて行われる。
【００６６】
一方、無線ＬＡＮ装置１００を操作する操作者によって、取り消しボタン４００が選択された場合、接続する無線ＬＡＮ装置の指定が行われなかったと判断され、無線ＬＡＮ装置との接続は行われない。
【００６７】
選択された無線ＬＡＮ装置（例えば、無線ＬＡＮ装置２００）との接続が行われた後、ステップ９にて無線ＬＡＮ装置２００から提供されるサービスを受ける。
【００６８】
その後、無線ＬＡＮ装置２００との接続が切断されるまでサービスを受け、ステップ１０にて切断されると、設定部１３０によって、ステップ４にて設定されたパラメータが、ステップ１１にて元のパラメータに戻す処理が行われる。
【００６９】
また、ステップ７にて取り消しボタン４００が選択され、接続する無線ＬＡＮ装置の指定が行われなかったと判断された場合、設定部１３０によって、ステップ１１にてパラメータが元の値に戻す処理が行われる。
【００７０】
一方、ステップ２にて、所定の時間が経過しても応答用ＳＳＩＤが通信部１２０にて受信されない場合、ステップ１２にてその旨が表示部１４０に表示される。
【００７１】
その後、ステップ１２にて表示部１４０に表示された表示に対して、ステップ１３にて入力部１１０が操作者による「終了」の入力を受け付けた場合、設定部１３０によって通信部１２０のＳＳＩＤを元のＳＳＩＤへ戻す処理がステップ１４にて行われる。
【００７２】
一方、ステップ１２にて表示部１４０に表示された表示に対して、ステップ１３にて入力部１１０が操作者による「終了」の入力を受け付けない場合、ステップ２の処理が行われる。
【００７３】
次に、本形態における無線通信方法のうち、図１に示した無線ＬＡＮ装置２００の処理について説明する。
【００７４】
図７は、本形態における無線通信方法のうち、図１に示した無線ＬＡＮ装置２００の処理を説明するためのフローチャートである。
【００７５】
無線ＬＡＮ装置２００において、電源が投入された後、ステップ２１にて信号入力があるかどうかが判断される。
【００７６】
信号入力がある場合、以下の処理は行われない。
【００７７】
一方、信号入力がなく、且つ通信部２２０によって通信が行われていない場合、ステップ２２にて周囲に自動設定要求用のＳＳＩＤである要求用ＳＳＩＤが存在するかの確認（サイトサーベイ）が通信部２２０を用いて行われる。
【００７８】
周囲に要求用ＳＳＩＤが存在しない場合、ステップ２１の処理が行われる。
【００７９】
一方、周囲に要求用ＳＳＩＤが存在した場合、つまり要求用ＳＳＩＤが通信部２２０にて受信された場合、ステップ２３にて設定部２３０によって通信部２２０のＳＳＩＤが自動設定応答用のＳＳＩＤである応答用ＳＳＩＤに設定され、設定された応答用ＳＳＩＤが通信部２２０から送信される。
【００８０】
その後、あらかじめ決められた時間が経過した後、ステップ２４にて設定部２３０によって通信部２２０のＳＳＩＤが接続用ＳＳＩＤに設定される。
【００８１】
このあらかじめ決められた時間は、無線ＬＡＮ装置１００が応答用ＳＳＩＤを検出するために必要な時間（数秒程度）として、事前に算出されているものである。
【００８２】
すると、ステップ２５にて、設定部２３０によって、通信部２２０に決められた手続きに従って無線ＬＡＮ自動設定処理が実行される。ここで、無線ＬＡＮ自動設定処理の方法は特に規定しないが、一例としては、あらかじめ決められたチャンネル／暗号化方式／暗号キー／サブネットマスクを利用し、ＩＰアドレスは未使用のＩＰアドレスを探して利用するものが挙げられる。この自動設定処理によって、無線ＬＡＮへ接続するための所定のパラメータが得られ、得られたパラメータが設定部２３０によって通信部２２０および制御部２５０に設定される。
【００８３】
その後、無線ＬＡＮ装置１００と接続されたかどうかが、ステップ２６にて制御部２５０によって判断される。ここでは、無線ＬＡＮ装置１００からの接続があったかどうかが、あらかじめ決められた時間内で判断される。このあらかじめ決められた時間は、無線ＬＡＮネットワークを検出するために必要な時間として、事前に算出されているものである。
【００８４】
無線ＬＡＮ装置１００と接続された場合、保有しているサービスがステップ２７にて通信部２２０を介して無線ＬＡＮ装置１００へ提供される。
【００８５】
その後、無線ＬＡＮ装置１００との接続が切断されるまでサービスを受け、ステップ２８にて切断されると、ステップ２６の処理が行われる。
【００８６】
一方、ステップ２６にて、無線ＬＡＮ装置１００と接続されなかった場合、設定部２３０によって、ステップ２５にて設定されたパラメータが、ステップ２９にて元のパラメータに戻す処理が行われる。
【００８７】
なお、上述した機能に以下の機能を加えたものも考えられる。
【００８８】
１つ目の機能として、無線ＬＡＮ装置１００が作成する無線ＬＡＮネットワークの要求用ＳＳＩＤの文字列の中に、利用したいサービスの内容（例えば、画像出力、音声出力、ファイル伝送など）の名称を含める（例えば、ＲＥＱ＿ＩＭＡＧＥ＿００００）。また、そのサービスを提供している無線ＬＡＮ装置のみが応答用ＳＳＩＤの無線ＬＡＮネットワークを作成する。これにより、無線ＬＡＮ装置１００が利用する可能性のない無線ＬＡＮ装置を無駄に動作させないようにすることができる。
【００８９】
２つ目の機能として、無線ＬＡＮ装置２００が要求用ＳＳＩＤが検出（受信）した場合に、応答用ＳＳＩＤを設定（送信）するかどうかを、その場で操作者が指示できるような確認画面を表示させる。これにより、状況に応じて、無線ＬＡＮのネットワーク自動設定を行わせるかどうかを操作者が選ぶことができる。
【００９０】
３つ目の機能として、無線ＬＡＮ装置の設定項目に「要求用ＳＳＩＤに反応するか／しないか」を設けることで、無線ＬＡＮ装置を固定の設定で運用できるようにする。
【００９１】
図８は、本発明の無線通信システムの他の実施の形態を示す図である。
【００９２】
本形態は図８に示すように、無線ＬＡＮ装置１００と、無線ＬＡＮ装置２００と、映像出力装置３００とから構成されている。
【００９３】
映像出力装置３００は、テレビやビデオやパソコンなどの映像信号を送信する装置である。また、映像出力装置３００は、無線ＬＡＮ装置２００へ映像信号を送信する。
【００９４】
無線ＬＡＮ装置１００は、図１に示したものと同じものである。
【００９５】
無線ＬＡＮ装置２００は、図１に示したものに加えて、映像出力装置３００との接続インタフェースを有する。つまり、無線ＬＡＮ装置２００は、映像出力装置３００から送信されてきた映像信号を処理して、映像を表示する。
【００９６】
このように、無線ＬＡＮ装置において、自動設定要求用ＳＳＩＤを無線ＬＡＮネットワーク上に存在させることを無線ＬＡＮ自動設定を開始するトリガーとすることにより、「無線ＬＡＮ自動設定へのモード変更」という操作を省くことが可能となる。
【００９７】
以上、実施の形態を参照して本願発明を説明したが、本願発明は上記実施の形態に限定されるものではない。本願発明の構成や詳細には、本願発明のスコープ内で当業者が理解し得る様々な変更をすることができる。
【図１】
2011039836.tif 000003
【図２】
2011039836.tif 000004
【図３】
2011039836.tif 000005
【図４】
2011039836.tif 000006
【図５】
2011039836.tif 000007
【図６】
2011039836.tif 000008
【図７】
2011039836.tif 000009
【図８】
2011039836.tif 000010
【手続補正書】
【提出日】平成24年3月22日(2012.3.22)
【手続補正１】
【補正対象書類名】特許請求の範囲
【補正対象項目名】全文
【補正方法】変更
【補正の内容】
【特許請求の範囲】
【請求項１】
無線ＬＡＮと接続可能に構成された無線ＬＡＮ装置であって、
外部から入力を受け付ける入力部と、
あらかじめ決められた第１の識別情報を送信する通信部と、
前記無線ＬＡＮとの通信を制御する制御部と、
前記通信部と前記制御部とに対して、前記無線ＬＡＮと接続された他の無線ＬＡＮ装置と接続するための自動設定処理を行う設定モードとすることが可能であり、前記通信部が、送信した第１の識別情報に対応する第２の識別情報を受信した場合には、前記設定モードとする設定部とを有する無線ＬＡＮ装置。
【請求項２】
請求項１に記載の無線ＬＡＮ装置において、
前記通信部は、前記第１の識別情報として、前記設定モードとすることを要求するための要求用ＳＳＩＤを送信することを特徴とする無線ＬＡＮ装置。
【請求項３】
請求項１に記載の無線ＬＡＮ装置において、
前記第２の識別情報を受信した際、その旨を表示する表示部を有し、
前記設定部は、前記表示部が表示した表示に対して前記入力部が所定の入力を受け付けた場合、前記設定モードとすることを特徴とする無線ＬＡＮ装置。
【請求項４】
請求項１に記載の無線ＬＡＮ装置において、
前記通信部は、前記自動設定処理を行った後、外部から前記第２の識別情報を送信してきた従無線ＬＡＮ装置との接続を指示する入力を前記入力部が受け付けた場合、前記従無線ＬＡＮ装置と接続することを特徴とする無線ＬＡＮ装置。
【請求項５】
無線ＬＡＮと接続可能に構成された無線ＬＡＮ装置であって、
外部から入力を受け付ける入力部と、
あらかじめ決められた第１の識別情報を受信した場合、該第１の識別情報に対応する第２の識別情報を送信する通信部と、
前記無線ＬＡＮとの通信を制御する制御部と、
前記通信部と前記制御部とに対して、前記無線ＬＡＮと接続された他の無線ＬＡＮ装置と接続するための自動設定処理を行う設定モードとすることが可能であり、前記第１の識別情報を受信した場合には、前記設定モードとする設定部とを有する無線ＬＡＮ装置。
【請求項６】
請求項５に記載の無線ＬＡＮ装置において、
前記通信部は、前記第２の識別情報として、前記第１の識別情報に応答するための応答用ＳＳＩＤ（Ｓｅｒｖｉｃｅ  Ｓｅｔ  Ｉｄｅｎｔｉｆｉｅｒ）を送信することを特徴とする無線ＬＡＮ装置。
【請求項７】
請求項５に記載の無線ＬＡＮ装置において、
前記第１の識別情報を受信した旨を表示する表示部を有し、
前記設定部は、前記表示部が表示した表示に対して前記入力部が所定の入力を受け付けた場合、前記設定モードとすることを特徴とする無線ＬＡＮ装置。
【請求項８】
請求項５に記載の無線ＬＡＮ装置において、
前記設定部は、前記自動設定処理を行ってから、あらかじめ決められた時間が経過するまでに、前記第１の識別情報を送信してきた主無線ＬＡＮ装置から接続されなかった場合、前記自動設定処理により設定したパラメータを設定前のものに戻すことを特徴とする無線ＬＡＮ装置。
【請求項９】
無線ＬＡＮと接続可能に構成された無線ＬＡＮ装置における無線通信方法であって、
あらかじめ決められた第１の識別情報を送信する処理と、
前記送信した第１の識別情報に対応する第２の識別情報を受信した場合、当該無線ＬＡＮ装置に対して、前記無線ＬＡＮと接続された他の無線ＬＡＮ装置と接続するための自動設定処理を行う設定モードとする処理とを有する無線通信方法。
【請求項１０】
無線ＬＡＮと接続可能に構成された無線ＬＡＮ装置における無線通信方法であって、
あらかじめ決められた第１の識別情報を受信した場合、該第１の識別情報に対応する第２の識別情報を送信する処理と、
前記第１の識別情報を受信した場合、当該無線ＬＡＮ装置に対して、前記無線ＬＡＮと接続された他の無線ＬＡＮ装置と接続するための自動設定処理を行う設定モードとする処理とを有する無線通信方法。
【国際調査報告】
2011039836.tif 000011
2011039836.tif 000012